(57)【要約】      （修正有）【課題】室内の高い光量を利用して多品種の植物を効率良く育てると共に悪性ガスを除去して室内環境を良好にする。【解決手段】軽量で反射率の高い素材で育成箱１を作り、背面上部に角度が自在に変えられる反射板２を設け、下部に鉢受け箱４を設置する。その中に水耕システム鉢育成の植物５を置き、室内の天井の光源７近くに設置して、植物５に高い光量１０００〜３０００ルックスを照射して光合成を効率良くし、花を咲かせ、緑を繁茂させる。【選択図】図５
2005278611.tif 000002
【特許請求の範囲】
室内照明の電光を利用してより多くの植物品種を育成する方法として、天井から吊り下げている電灯や蛍光灯の天井近くに、反射板付きの育成箱を設置し高い光量の光源ルックスを利用して光合成効率を良くし、多品種の植物を育成して花や緑を育て楽しむ方法です。今日まで室内では窓辺以外は光が弱く補償点の低い観葉植物しか育てることができなかった。特にビル街のオフィス等の９０％以上は蛍光灯の光で事務や営業を行っていますが、事務机の上で育てられる植物は、観葉植物の限られた品種であり、その多くは枯れる心配があるので、ほとんどがリース植物を利用している。オフィスの蛍光灯の光量は平均して２０００ルックスですが、事務机の上では５００ルックスしかなく、限られた丈夫な観葉植物しか楽しむことができなかった。本発明は天井の蛍光灯に接近した空間スペースの位置に育成箱を取付けて１５００〜１８００ルックスの光量で多品種の育成を可能にし、花を咲かせ緑を楽しむことができます。事務机の光量や室内の光をほとんど遮光することがなく、オフィスの状態は従来通りです。オフィスでは蛍光灯の光量は、室内の明るさを保って事務や営業に差し支えないようにして、他に利用することは殆んどなく、光量は使い捨てでした。この大切な光量を利用して様々な美しい花や緑を育てると共に、植物の光合成により私達の出す炭酸ガスを吸収し、新鮮な酸素を室内に放出する。また放置される莫大なエネルギーを活用し、悪性ガスを除去し室内環境を強力に改善していき、花と緑に無駄なく炭水化物として蓄積して室内環境をより良く保つ事ができる。電光吊寄光合育成法。
【発明の詳細な説明】
【発明の詳細な説明】
【産業上の利用分野】
【０００１】  本発明は室内の電灯、蛍光灯に育成箱を接近設置して、高い光量を利用して多品種の植物を効率良く育て、美しい花と緑を常時楽しめる方法である。電光による光合成で炭酸ガスを酸素に変え、悪性ガスを除去して室内環境を良好にし、また、使い捨て状態の光量を植物に転換して、美しい花と緑で一級の心の癒しを得ることのできる植物を利用して環境を改善する、室内環境緑化産業に関するものである。
【従来の技術及びその課題】
【０００２】  一般に室内で植物を育て観賞し楽しみますが、オフィスやマンションでは太陽光の入る窓辺がほとんど無い為、暗い室内でも育つ、限られた観葉植物しか育てることができなかった。一般に室内の植物が置かれる場所での電灯や蛍光灯の光の届く光量は３００〜５００ルックスで、補償点の低いごく限られた観葉植物類を長く室内に置くと、衰弱して枯死することが多い。光量が３００〜５００ルックスでは植物が育つのではなく、植物の体力を消耗して生きるから半年か１年で枯れてしまう事が大半と言われます。室内は植物の主食である炭酸ガスは充分ありますが、光量が不足するので肥料を与えても育たず、葉の色は悪くなるばかりで、花を咲かすことなど全く不可能です。これらの問題点を解決するために発明された電光吊寄光合育成法。
【本発明が解決しようとする課題】
【０００３】  室内の天井に電灯や蛍光灯を設置し、適度の明るさを上部から照らして事務、営業、作業、教育、生活の場に照明として活用していますが、目的がそれだけに終っている。電力会社は莫大なエネルギーを使用して発電をし、オフィスビル、工場、学校、病院、一般家庭、商店街その他に休みなく供給され、消費されている。電灯の光は一度放射されると、二度とかえってこないし、蓄積もできず、失われるだけです。この失われるだけの光量を大きく活用する課題を本発明によって解決することができます。天井照明の電灯、蛍光灯の近くに反射板付の光合育成箱を設置し、水耕栽培の植物を育成箱に入れて、電灯、蛍光灯の高い光量が充分受けられるようにし、多品種の観葉植物、花鉢、洋ラン、多肉植物、その他を育成すると共に、光合成で私達の出す炭酸ガスを浄化し、新鮮な酸素を室内に放出して環境を良くし、悪性の室内ガス、ホルムアルデヒド、ダイオキシン、クロロホルム、その他を除去してくれます。また花や緑は一級の癒しとなる。そして今日まで室内で育てることのできなかった多品種の花を咲かせる植物を育成して、花を楽しむことができます。重要なポイントは、天井の電灯近くの空間スペースに育成箱を設置し、下方への照明を遮光しないようにして１５００〜２０００ルックスの光量で植物を育成できる様にする。今日までの室内植物にあたる光量は３００〜５００ルックスで、植物がほとんど生育しない環境でした。本発明は天井の空間スペースに育成箱を設置し、光量を充分に受けることで、多品種の植物を育成して、無駄になっていた光エネルギーを植物に蓄積する課題を解決するものである。
【問題点を解決するための手段】
【０００４】  上記の課題を解決するためには、図１に示すように、光をより多くとりこむために長方形の育成箱にして、上部背面に反射板を取付け、図２に示すように２の反射板を光の角度に合せて自在に変え、光合成の効率を高くする。４の部分は水耕用鉢受けで、水などが漏らないようになっている。図４の６の水耕鉢で５の植物を図３のように水耕栽培で良好に育成管理ができる。図５は７の電灯で７から５の植物までの距離を示し、ＡＢＣＤＥＦＧの距離は１５００〜２０００ルックスの光量があり、多品種の植物を水耕育成できる。Ｋ，Ｌは一般従来の植物の置き場で机の上で５００ルックスしかなく、植物がやっと生きていける状態の位置です。ＨＩＪでは２００〜３００ルックスで植物は衰弱状態で半年か一年で枯死する位置。本発明は、天井の電灯や蛍光灯近くに設置することで、１０００〜２０００ルックスで植物を簡単に水耕育成するための手段である。
【作用】
【０００５】  室内で今まで捨てられていた光量を利用して、多品種の植物を良好に水耕栽培ができ、光合成で植物に炭水化物を蓄積し、美しい花を咲かせ、清々しい緑が楽しめ一級の心の癒しができる。それと共に私達の出す炭酸ガスを酸素に変えて室内環境を良くする。地球上では莫大なエネルギーを消費して、電灯がともり工業を発展させ、文化生活が営まれている反面、炭酸ガスによる温暖化現象で地球環境が窮地に立っている現在、炭酸ガスを解消する為の方法は、植物に同化させるのが一番合理的です。ＣＯ２を工業的に酸素（Ｏ２）と炭素（Ｃ）に分解するには３８００度と言う莫大な熱量が必要ですが、植物は光合成でいとも簡単に分解できます。世界のオフィスビルや工場、一般家庭その他で消耗される光量エネルギーは、１日数兆円とも言われ、それを供給する発電エネルギーから放出するＣＯ２は地球環境を乱す産業廃棄物とされています。本発明を利用すればこれらを解消することができる。室内に放出され無駄になる光量エネルギーを蓄積し、ＣＯ２除去Ｏ２放出で室内環境がすぐさま良好になり、さらに美しい花や緑で一級の心の癒しができる作用がある。
【実施例】
【０００６】  以下、図面を参照して本発明の電光吊寄光合育成法を使用した実施例を説明すると、図１、１の育成箱に２の反射板を背面上部に設けて、３の固定ネジで２を固定する。４は水耕鉢を入れて育成する受け箱部で水等が漏らない。図２の２は反射板がいろんな角度に変えられて、３で固定できる。図３は５の植物を本発明に設置した状態で、光量が効率良く受けられるようになっている。図４は５を６の水耕鉢に植えた状態、６はウレタン培地の軽量なもので、長期コントロール肥料やイオン交換体、微量要素がバランス良く配合されている。植物の根から出る老廃物、蟻酸、酢酸、蓚酸、その他多くの害を出す物質を、自浄布が大気と化合放出し、植物の根圏をバランスよくしている。図５は７の電灯から放射される光量の届く距離によって、光量ルックスの強弱があり、それによって植物の持つ品種による補償点に合せて成育光量ルックスを決める。７が２０００〜３０００ルックスの場合、７からの距離が５０ｃｍあれば１８００〜２０００ルックスです。７０ｃｍの場合は、１７００〜１８００ルックス。１００ｃｍは１０００ルックスありＡＢＣＤＥＦであれば多品種の植物が良好に育ち、花をつける植物も多く育成開花できる。７からＬＫの距離は１５０ｃｍで、一般にこの距離で観葉植物を楽しんでいますが、植物がやっと生きながらえている状態になる。７から１８０ｃｍの距離では、補償点の低い観葉植物でも体力を消耗して生きていますが、半年から一年で消耗枯死します。図６はオフィス内天井の蛍光灯７の近くに、本発明の１を設置して５の植物を水耕育成した斜視図で、９の人物が本発明の下を違和感なく移動したり、５の植物に手を伸ばして、水やりや手入れをして毎日花や緑を楽しみ、気持ちよく癒される。図７は、オフィスで事務をしている背面上部に本発明を設置し、蛍光灯の光量を利用して花や緑を繁茂させ、室内の環境を良好にして、気分良く仕事に励む姿の斜視図。本発明の基準サイズは、高さ５０ｃｍ、巾１２ｃｍ、長さ９０ｃｍで、１０ｍ２に１基あればＮＡＳＡの宇宙局基準数値のＣＯ２解消は充分とされています。その他人体に悪影響を与える、ホルムアルデヒド、ダイオキシン、クロロホルム、その他多くの気化ガスを、１００％除去できる能力値、光合成リーフエリアが充分にある。室内の広さによって、本発明の数を決めて設置する事で、光の無駄をなくし空気を浄化し、美しい花や緑を観賞できる。また手入れをすることで癒しの効果も倍増する。よって本発明は室内環境を、最も良好にする無駄のない方法である。なお本発明の素材は、プラスチック、金属、ウレタン、ガラス、セラミック、スチロール、木、竹、不織布などである。
【発明の効果】
【０００７】  本発明は、以上説明したように、今まで室内等で放出されて無駄になっている光量エネルギーを、効率の良い方法で植物に同化吸収させ、蓄積させて美しい花を咲かせ清々しい緑を繁茂させる。またＣＯ２や悪性ガスを除去し、新鮮なＯ２を放出して素晴らしい室内環境をつくり、人々の健康を支え、心身ともに一級の癒しができる。現在の室内そのままの状態で簡単に設置する事ができ、ウレタン水耕植物であるから、清潔軽量で安全性に富み、手入れ等も手軽にでき、今まで室内で咲かす事のできなかった花も容易く咲かすことができます。植物の寿命も長くメンテナンスも楽で、毎日植物の生長や開花のプロセスが楽しめる多種多様の効果がある。なお本発明を利用し、１０００ｌｕｘ以上あれば、芳香植物ハーブ類など補償点の低い多くの品種を育成でき、室内で心地よい香りを満喫でき、ハーブティーやその他ハーブ料理に利用できます。従来の室内窓際やベランダ等で光を充分に受けて植物を育てますが、季節によって光や温度の変化、特に夏の高温と冬の冷温は植物に大きなダメージをあたえます。本発明により光量は大変低いですが、季節等に左右されず光量を一定に保たれているので環境変化があまりなく負担が少ない。その点少ない光量をコンスタントに受光する働きが強く反応して、効率の良い光合成ができ、補償点さえ守れば室内環境に順応した水耕栽培が充分にできます。水耕栽培は、根圏にバクテリア等が繁殖しないため、清潔であるとともに植物の寿命を長くする効果もある。本発明は屋内照明の目的位置に光を遮ることなく、無駄になる光量を植物に同化させて室内環境に多くの効果をもたらす。
【図面の簡単な説明】
【図１】本発明の斜視図
【図２】本発明反射板転回斜視図
【図３】本発明に水耕植物設置斜視図
【図４】本発明用の水耕植物斜視図
【図５】本発明と机、床の照射距離の斜視図
【図６】本発明を室内に設置斜視図
【図７】本発明を事務所に設置斜視図
【符号の説明】
１．  育成箱
２．  反射板
３．  固定ネジ
４．  鉢受け箱
５．  水耕植物
６．  水耕鉢
７．  電灯と蛍光灯
８．  机
９．  人物
１０．本箱
１１．壁
〔図５符号の説明〕
（符号）  （照射距離）  （受光量）
Ａ        ５０ｃｍ      １８００ｌｕｘ
Ｂ        ５０ｃｍ      １９００ｌｕｘ
Ｃ        ５０ｃｍ      １８００ｌｕｘ
Ｄ        ６０ｃｍ      １５００ｌｕｘ
Ｅ        ３０ｃｍ      ２０００ｌｕｘ
Ｆ        ５０ｃｍ      １８００ｌｕｘ
Ｇ        ６０ｃｍ      １５００ｌｕｘ
Ｈ      ２００ｃｍ        ２００ｌｕｘ
Ｉ      １８０ｃｍ        ３００ｌｕｘ
Ｊ      １７０ｃｍ        ２５０ｌｕｘ
Ｋ      １６０ｃｍ        ４５０ｌｕｘ
Ｌ      １５０ｃｍ        ５００ｌｕｘ
【図１】
2005278611.tif 000003
【図２】
2005278611.tif 000004
【図３】
2005278611.tif 000005
【図４】
2005278611.tif 000006
【図５】
2005278611.tif 000007
【図６】
2005278611.tif 000008
【図７】
2005278611.tif 000009